(57)【要約】      （修正有）【課題】画像データの編集を紙面上でなく、操作パネル上で行い、編集方法の拡大、編集時の視認性・操作性の向上、編集作業失敗防止、無駄紙低減を可能とする画像形成装置を提供する。【解決手段】画像データから領域指定を行う操作部１０６上の画像表示部に座標処理部１１０によって、Ｘ、Ｙ二次元方向の広がりをもった座標を設定し、領域指定の設定がなされた際、操作部１０６に表示された画像データの各頂点の座標点、またタッチパネル１０９より指定された任意の座標点を表示し、操作部１０６から座標入力を行い、領域指定された画像データを画像認識部１０８によって画像データを認識し、画像処理部１０３によって認識された画像データサイズに合った用紙サイズを選択、同画像処理部１０３でその指定された用紙サイズの変倍指定、回転、塗潰し、濃度変換などの画像処理をすることが出来る。【選択図】図１
2007019888.tif 000002
【特許請求の範囲】
【請求項１】
入力された画像データを蓄積する画像記憶手段と、
前記入力された画像データあるいは前記画像記憶手段に蓄積されている画像データを出力する画像出力手段と、
前記画像データを操作パネル上に表示させる画像表示手段と、
前記操作パネル上を押下した際に、押下部の位置を認識する為のタッチパネルを用いた押下部検出手段と、
前記操作パネルの画像を、Ｘ、Ｙ二次元方向の広がりをもった座標平面により制御し、前記操作パネル上に表示された画像データの座標点が分るように各頂点の座標点表示、また、任意の座標点を操作パネル上に表示する座標点表示手段と、
前記画像データ内の領域を指定する座標を入力する座標入力手段と、
前記座標入力手段によって前記画像データ内で編集する領域を指定する画像領域指定手段と、
前記領域指定した画像に対して編集を行う画像編集手段と、
前記領域指定後に編集した画像データサイズに合った用紙サイズを選択する用紙サイズ決定手段と、
前記決定した用紙サイズを変倍指定できる用紙変倍指定手段と、
前記編集により作成された画像を印刷する画像印刷手段と、
前記編集により作成された画像を蓄積する画像記憶手段と、を有することを特徴とする画像形成装置。
【請求項２】
前記座標入力手段は、数値入力により操作部パネル上に表示された画像データ内の領域指定を行う座標の入力を行うことを特徴とする請求項１記載の画像形成装置。
【請求項３】
前記座標入力手段は、始点と終点の２点を入力し、それぞれの点から水平・垂直に線をそれぞれが交差するまで伸ばし、前記画像データ内から矩形状に領域指定することを特徴とする請求項１又は２記載の画像形成装置。
【請求項４】
前記始点と終点の２点を入力する座標入力手段は、操作パネル上で位置を特定できるタッチパネルを用い、前記タッチパネル上で任意の点を押下し、始点と終点の２点を入力することを特徴とする請求項３記載の画像形成装置。
【請求項５】
前記タッチパネル上で任意の点を押下する際に、指又はペンで押下することを特徴とする請求項４記載の画像形成装置。
【請求項６】
前記座標入力手段は、座標入力により指定したい領域を、前記タッチパネル上で押下した状態でなぞり、押下開始点と押下終了点で囲まれた箇所を指定領域とする手動多角形指定であることを特徴とする請求項１記載の画像形成装置。
【請求項７】
前記押下開始点と押下終了点が一致していなかった場合、その両点を線で結んで指定領域とする請求項６記載の画像形成装置。
【請求項８】
前記タッチパネル上で任意の開始点と終了点を押下する際に、指又はペンで押下することを特徴とする請求項６記載の画像形成装置。
【請求項９】
前記座標入力手段により画像領域指定を行う際、認識できない設定を行ったときは、操作にエラーがあったことを伝えることを特徴とする請求項１から８のいずれか１項に記載の画像形成装置。
【請求項１０】
前記認識できない設定は、画像データ内から指定した領域の面積がない場合、指定した領域が上記画像データ外に設定された場合であることを特徴とする請求項９記載の画像形成装置。
【請求項１１】
前記画像編集手段は、前記画像領域指定手段により領域指定された画像データ内、または外のどちらの領域でも、塗潰、変倍、回転等の画像編集処理を行えることを特徴とする請求項１から１０のいずれか１項に記載の画像形成装置。
【請求項１２】
前記画像編集の際に、縦・横、又は画像全体の増減指定をするための矢印キーを操作パネル上に表示、設置することを特徴とする請求項１から１１のいずれか１項に記載の画像形成装置。
【請求項１３】
前記領域指定確定後、前記領域指定された画像又は蓄積された画像を、確認や、編集作業を行いやすくする為に、拡大して表示することを特徴とする請求項１から１２のいずれか１項に記載の画像形成装置。
【請求項１４】
前記画像編集手段は、領域指定された画像又は蓄積された画像を、同画像データ内又は別画像データ内に配置し、貼り付けることにより画像を配置することを特徴とする請求項１から１３のいずれか１項に記載の画像形成装置。
【請求項１５】
前記画像配置の際、配置指定された配置部を拡大表示し、配置指定によって詳細位置を決定することを特徴とする請求項１から１４のいずれか１項に記載の画像形成装置。
【請求項１６】
前記配置指定は、タッチパネル押下、座標入力、操作部上のキーにより配置を指定する請求項１から１５のいずれか１項に記載の画像形成装置。
【請求項１７】
前記画像配置の際、配置後に潰される画像を表示することを特徴とする請求項１から１６のいずれか１項に記載の画像形成装置。
【発明の詳細な説明】
【技術分野】
【０００１】
本発明は、画像形成装置に関し、特に画像領域指定機能と画像編集機能と画像サイズ決定機能と画像蓄積機能を持ち、画像を表示する媒体を持った画像形成装置に関する。
【背景技術】
【０００２】
従来、画像形成装置には、複写機、プリンタ、スキャナ、ファクシミリなどの機能が一体化した複合機が良く見られる。それら画像形成装置において、取り込んだ画像データに対し、操作部上より変倍処理、回転処理、濃度調整、用紙サイズ設定、別画像との合成処理など画像処理を施して用いられる使われ方が普及してきている。このように、機器内に取り込んだ画像データに対し、画像処理を施す場合、画像処理できる範囲をより制限されずに指定したいと考え、画像データ内の印刷・編集・画像内へ配置したい画像部のみの領域指定をより正確に行える制御手段が必要とされている。
【０００３】
この取り込んだ画像データの画像領域指定手段や画像処理手段として、画像データ上に指定された座標ポイントとして区切られた箇所を移動することによって画像データを移動させ、ポイント座標位置を修正し、座標指定により画像内のエリアを指定し、画像処理を行い、画像上に配置する技術が提案されている（特許文献１）。しかし、この発明は、予め区切られた箇所を並べ替えて配置を変更するのみで、自由に領域指定する方法が記載されておらず、また、指定した箇所のみを抜き出す方法がない。
【０００４】
そこで、マーカーによって指定した範囲を読み取った画像データを格納し、その画像データを所定の画像データへ埋め込み、合成を行う技術が提案されている（特許文献２）。しかし、この技術では、領域指定や、画像処理、合成時の設定等についてより詳細に行うことができない。
【０００５】
そこで近年、画像入力を指定する入力面上に対して、座標入力によって入力点を設定し、それらの連なりによって領域指定をおこない、その領域指定した画像を画像記憶手段に記憶された画像に合成する技術（特許文献３）が知られている。その他、画像切出しなどの領域情報を抜き出すために、座標入力キーより押下する座標を順次押下し決定し、各線分が重なった際はその時点の入力を中止し、領域指定後の画像は表示可能な最大画像まで拡大させる技術（特許文献４）や領域指定をする際、操作部上で指定した各点で、隣り合った頂点を順番に指定して加工領域を指定する技術（特許文献５）が開示されている。
【特許文献１】特開２００２−２３２６８４号公報
【特許文献２】特開平５−３５３９号公報
【特許文献３】特開平５−１７６１５７号公報
【特許文献４】特開平７−１３１６２９号公報
【特許文献５】特開平７−２３０３５１号公報
【発明の開示】
【発明が解決しようとする課題】
【０００６】
しかしながら、上記のような技術では、２点の座標指定による領域指定が出来ず、より簡単に矩形状の領域指定を行えない上、座標入力だけでは複雑形状を指定することも困難であるという問題がある。また、領域指定した画像を別の画像データ等に転用する方法は開示されていない。
【０００７】
本発明はこのような状況に鑑みてなされたものであり、上記問題を解決し、領域指定時の効率、精度、操作性の向上、また、領域指定した画像のより正確な編集、配置の指定を可能にし、操作部上の表示部で画像を見ながら画像作成を行えることによって、編集時の視認性、操作性向上させることを目的とする。
【課題を解決するための手段】
【０００８】
請求項１記載の発明は、入力された画像データを蓄積する画像記憶手段と、前記入力された画像データあるいは前記画像記憶手段に蓄積されている画像データを出力する画像出力手段と、前記画像データを操作パネル上に表示させる画像表示手段と、前記操作パネル上を押下した際に、押下部の位置を認識する為のタッチパネルを用いた押下部検出手段と、前記操作パネルの画像を、Ｘ、Ｙ二次元方向の広がりをもった座標平面により制御し、前記操作パネル上に表示された画像データの座標点が分るように各頂点の座標点表示、また、任意の座標点を操作パネル上に表示する座標点表示手段と、前記画像データ内の領域を指定する座標を入力する座標入力手段と、前記座標入力手段によって前記画像データ内で編集する領域を指定する画像領域指定手段と、前記領域指定した画像に対して編集を行う画像編集手段と、前記領域指定後に編集した画像データサイズに合った用紙サイズを選択する用紙サイズ決定手段と、前記決定した用紙サイズを変倍指定できる用紙変倍指定手段と、前記編集により作成された画像を印刷する画像印刷手段と、前記編集により作成された画像を蓄積する画像記憶手段と、を有することを特徴とする画像形成装置である。
【０００９】
請求項２記載の発明は、請求項１記載の装置において、前記座標入力手段は、数値入力により操作部パネル上に表示された画像データ内の領域指定を行う座標の入力を行うことを特徴とする。
【００１０】
請求項３記載の発明は、請求項１又は２記載の装置において、前記座標入力手段は、始点と終点の２点を入力し、それぞれの点から水平・垂直に線をそれぞれが交差するまで伸ばし、前記画像データ内から矩形状に領域指定することを特徴とする。
【００１１】
請求項４記載の発明は、請求項３記載の装置において、前記始点と終点の２点を入力する座標入力手段は、操作パネル上で位置を特定できるタッチパネルを用い、前記タッチパネル上で任意の点を押下し、始点と終点の２点を入力することを特徴とする。
【００１２】
請求項５記載の発明は、請求項４記載の画像形成装置において、前記タッチパネル上で任意の点を押下する際に、指又はペンで押下することを特徴とする。
【００１３】
請求項６記載の発明は、請求項１記載の装置において、前記座標入力手段は、座標入力により指定したい領域を、前記タッチパネル上で押下した状態でなぞり、押下開始点と押下終了点で囲まれた箇所を指定領域とする手動多角形指定であることを特徴とする。
【００１４】
請求項７記載の発明は、請求項６記載の装置において、前記押下開始点と押下終了点が一致していなかった場合、その両点を線で結んで指定領域とする。
【００１５】
請求項８記載の発明は、請求項６記載の装置において、前記タッチパネル上で任意の開始点と終了点を押下する際に、指又はペンで押下することを特徴とする。
【００１６】
請求項９記載の発明は、請求項１から８のいずれか１項に記載の装置において、前記座標入力手段により画像領域指定を行う際、認識できない設定を行ったときは、操作にエラーがあったことを伝えることを特徴とする。
【００１７】
請求項１０記載の発明は、請求項９記載の装置において、前記認識できない設定は、画像データ内から指定した領域の面積がない場合、指定した領域が上記画像データ外に設定された場合であることを特徴とする。
【００１８】
請求項１１記載の発明は、請求項１から１０のいずれか１項に記載の装置において、前記画像編集手段は、前記画像領域指定手段により領域指定された画像データ内、または外のどちらの領域でも、塗潰、変倍、回転等の画像編集処理を行えることを特徴とする。
【００１９】
請求項１２記載の発明は、請求項１から１１のいずれか１項に記載の装置において、前記画像編集の際に、縦・横、又は画像全体の増減指定をするための矢印キーを操作パネル上に表示、設置することを特徴とする。
【００２０】
請求項１３記載の発明は、請求項１から１２のいずれか１項に記載の装置において、前記領域指定確定後、前記領域指定された画像又は蓄積された画像を、確認や、編集作業を行いやすくする為に、拡大して表示することを特徴とする。
【００２１】
請求項１４記載の発明は、請求項１から１３のいずれか１項に記載の装置において、前記画像編集手段は、領域指定された画像又は蓄積された画像を、同画像データ内又は別画像データ内に配置し、貼り付けることにより画像を配置することを特徴とする。
【００２２】
請求項１５記載の発明は、請求項１から１４のいずれか１項に記載の装置において、記画像配置の際、配置指定された配置部を拡大表示し、配置指定によって詳細位置を決定することを特徴とする。
【００２３】
請求項１６記載の発明は、請求項１から１５のいずれか１項に記載の装置において、前記配置指定は、タッチパネル押下、座標入力、操作部上のキーにより配置を指定する。
【００２４】
請求項１７記載の発明は、請求項１から１６のいずれか１項に記載の装置において、前記画像配置の際、配置後に潰される画像を表示することを特徴とする。
【発明の効果】
【００２５】
本発明によれば、操作部上で画像データ内の領域を指定し、領域指定した画像に対し、データ領域表示、指定点座標表示、画像編集処理、自動用紙サイズ決定、用紙サイズ変倍指定が出来、作成された画像を印刷・蓄積・同画像内、別画像内へ配置することによって、画像データ内の必要な画像のみの画像処理が可能となり、編集作業の効率化、画像編集方法の拡大が出来る。また、画像データを紙面上でなく、操作パネル上で行えるようになったことで、編集時の視認性、操作性の向上、編集作業失敗防止、無駄紙低減に効果がある。
【発明を実施するための最良の形態】
【００２６】
以下に、本発明の実施形態に係る画像形成装置を、図面を用いて詳細に説明する。
【００２７】
図１は、発明の実施形態に係るデジタル複合複写機のシステム構成を示すブロック図である。図１に示すようにデジタル複合複写機（画像形成装置）１００は、制御部１０１、画像読取り部１０２、画像処理部１０３、画像書込み部１０４、データ蓄積部１０５、また画面上でデータ操作を行えるようにしたタッチパネル機能を持った操作部１０６、給紙部１０７、画像認識部１０８、タッチパネル１０９、座標処理部１１０で構成されている。
【００２８】
上記の構成において、画像読取り部１０２で読み込まれた画像データは、画像処理部１０３へ転送される。画像処理部１０３で転送されてきた画像データに対して、画質調整や変倍処理などの画像処理を施し、画像書込み部１０４へ処理後のデータを転送する。画像書込み部１０４では、転送されてきた画像データに従ってレーザを感光体上に照射させ書込み処理を行う。これらの動作は制御部１０１によって制御され、また給支部１０７の駆動も制御部１０１によって制御されている。また、操作部１０６やタッチパネル１０９上に指示された内容も制御部１０１に伝えられ、処理を行う。画像を蓄積する設定がされていた場合、読取り部１０２で読み取られた画像は、画像処理部１０３で圧縮等の処理が行われ、データ蓄積部１０５に保存される。加えて、読み取った画像から使用・編集する領域を指定する設定がなされていた場合、操作部１０６、タッチパネル１０９から領域指定の操作を指示し、領域指定した画像を画像認識部１０８によって読取り、画像データのサイズを確認する。画像処理部１０３で画像データのサイズに合った用紙選択、用紙変倍指定、変倍処理、回転、配置など画像処理を行う。その画像データをデータ蓄積部１０５に保存することができ、使用したいときにデータ蓄積部１０５から出し入れを行え、同画像内や、別の画像内に保存した画像データを操作部１０６、タッチパネル１０９より合成先を選択し、画像処理部１０３によって合成処理を行うことが出来る。
【００２９】
画像形成装置１００において、上記以外の画像読取方法として、プリンタ、スキャナ、ファクシミリ、カードインターフェースなど、様々な画像データの受信方法が考えられるが、いかなる画像入力手段を用いた場合でも、本発明を適用可能である。
【００３０】
本実施形態の画像形成装置１００では、座標処理部１１０と、画像認識部１０８を有する。表示パネル上で操作行えるタッチパネル１０９と操作部１０６によって、座標指定を行い、座標処理部１１０にて指定された座標の領域を指定し、画像認識部１０８によって、座標を指定された領域の画像データ部分を認識する。また、直接タッチパネル１０９より画像データの範囲を書き込んで指定した場合、押下された箇所を制御部１０１によって読取、座標処理部１１０によって指定範囲を座標変換し、その領域の画像データを画像認識部１０８で認識する。
【００３１】
図２は、本発明の実施形態に係る領域指定から用紙サイズ変倍までを示した図である。画像データから領域指定を行う操作部１０６上の画像表示部に座標処理部１１０によって、Ｘ、Ｙ二次元方向の広がりをもった座標を設定し、領域指定の設定がなされた際、操作部１０６に表示された画像データの各頂点の座標点、またタッチパネル１０９より指定された任意の座標点を表示し、操作部１０６から座標入力を行い、領域指定された画像データを画像認識部１０８によって画像データを認識し、画像処理部１０３によって認識された画像データサイズに合った用紙サイズを選択、同画像処理部１０３でその指定された用紙サイズの変倍指定、回転、塗潰し、濃度変換などの画像処理をすることが出来る。作成された画像データを画像蓄積部１０５に蓄積、画像処理部１０３によって画像データを同画像内、別画像内に配置、画像書き込み部１０４によって画像出力する。
【００３２】
上記実施形態により、操作部上で画像データ内の領域を指定し、領域指定した画像に対し、データ領域表示、指定点座標表示、画像編集処理、自動用紙サイズ決定、用紙サイズ変倍指定が出来、作成された画像を印刷・蓄積・同画像内、別画像内へ配置することによって、画像データ内の必要な画像のみの画像処理が可能となり、編集作業の効率化、画像編集方法の拡大が出来、また、画像データを紙面上でなく、操作パネル上で行えるようになったことで、編集時の視認性、操作性の向上、編集作業失敗防止、無駄紙低減に効果がある。
【００３３】
図３は、本発明の実施形態に係る２点指定トリミング方法を示す図である。操作部１０６上に表示された画像データ内から領域指定する際、操作部１０６で指定したい領域を始点と終点の２点で座標入力、また、タッチパネル１０９上で押下した２点を座標処理部１１０で座標変換し、座標処理部１１０によって、それぞれの点から水平・垂直方向に直線を引き、各線が交差するまで伸ばし、矩形状の領域を指定し画像認識部１０８によって、領域内の画像データを認識する。
【００３４】
上記実施形態により、始点と終点の２点を座標入力し、それぞれの点から水平・垂直に線をそれぞれが交差するまで伸ばし、上記画像データ内から矩形状に領域指定することで、最低限の作業行程で領域指定することが出来、領域指定の簡略化、効率化、設定ミスの低減に効果がある。
【００３５】
また、上記２点指定トリミング方法で、始点と終点の２点を入力する手段は、具体的には、例えば、任意の点をタッチパネル１０９上に点で押下できる指やペン等で押下し、始点と終点の２点を入力し、それぞれの点から水平・垂直に線をそれぞれが交差するまで伸ばし、上記画像データ内から矩形状に領域指定することが考え得る。かかる実施形態により、直接画像上に領域指定を行うことが出来るため、領域指定時の視認性、操作性の向上、また領域指定の簡略化、効率化、設定ミスの低減に効果がある。
【００３６】
図４は、本発明の実施形態に係る自由形状トリミング方法を示す図である。操作部１０６上に表示された画像データ内から領域指定する際、タッチパネル１０９上で指やペン等で、指定したい領域を押下した状態でなぞる。なぞった領域をすなわち押下開始点と押下終了点で囲まれた箇所を領域指定し、座標処理部１１０で細かく座標指定する。座標指定した際に、指定した領域で、押下開始点と押下終了点が一致していなかった場合、座標処理部１１０で押下開始点と押下終了点の両点を結んで画像領域指定制御を行い、画像認識部１０８で領域内の画像データを認識する。
【００３７】
上記実施形態により、画像内の領域指定の自由度、視認性、操作性の向上、領域指定時のユーザの領域指定イメージ画像と実際に領域指定した画像の出力時の差を低減することが出来る。
【００３８】
本発明の他の実施形態として、操作部１０６上でタッチパネル１０９、操作部１０６より指定した画像領域を座標処理部１１０で領域を認識し、画像認識部１０８で領域内の画像データを認識する際に、指定した面積がない場合又は指定した領域が画像データ外に設定してあった場合等、画像データとして認識できない設定をされた場合には、制御部１０１を通し、操作部１０６上の操作パネルに設定エラー表示をする。
【００３９】
上記実施形態により、ユーザに領域指定エラーを伝達し、ユーザの領域指定、画像処理をより正確に実行することが可能となる。
【００４０】
図５は、本発明の実施形態に係る画像分離編集を示す図である。操作部１０６上でタッチパネル１０９、操作部１０６より指定した画像領域を座標処理部１１０で領域を認識し、画像認識部１０８で領域内・外の画像データを認識し、制御部１０１を用いて両方の画像を分離し、各画像を一つの画像として画像処理部１０３で画像編集を行う。画像データ内から領域指定した画像データ内又は外のどちらの領域でも塗潰し、変倍、回転等の画像編集処理を行える。図５では、Ａの領域を回転する編集処理が行われた場合が図示されている。
【００４１】
上記実施形態により、画像を分離して編集することが出来るため、編集作業の操作性向上、また紙として出力せずに編集できるため、無駄紙を低減することが可能となる。
【００４２】
図６は、本発明の実施形態に係るトリミング領域増減指定方法を示した図である。図中左には、画像データが表示され、図中右には、変倍モードの方向を示す「縦」「横」キーと、矢印キーが図示されている。操作部１０６上でタッチパネル１０９、操作部１０６より指定した画像領域を座標処理部１１０で領域を認識させた後、操作部１０６に設置された指定領域変倍モードで表示される矢印キーによって、指定領域の縦・横・画像全体の増減指定を行い、座標処理部１１０で増減した部分の座標領域補正を行う。
【００４３】
上記実施形態により、画像データ内から指定した領域の編集作業を行う際に、縦・横、画像全体の増減指定をするための矢印キーを操作パネル上に表示、設置するため、領域指定時における精密化、操作性向上が可能となる。
【００４４】
図７は、本発明の実施形態に係るトリミング領域拡大を示す図である。操作部１０６上でタッチパネル１０９、操作部１０６より指定した画像領域を座標処理部１１０で領域を認識し、画像認識部１０８で領域内の画像データを認識し、その画像データを画像処理部１０３で画像編集行う際、領域指定中、領域指定された画像データ部を拡大表示する。
【００４５】
上記実施形態により、領域指定中の画像、領域指定された画像を、領域指定確定後、拡大して表示することで、領域指定画像内に不要・必要な画像データが含まれているか否かを容易に確認でき、領域指定画像の視認性、操作性、編集作業効率を向上させる。
【００４６】
図８は、本発明の実施形態に係る合成先画面を示した図である。操作部１０６上でタッチパネル１０９、操作部１０６より指定した画像領域を座標処理部１１０で領域を認識し、画像認識部１０８で認識された領域内の画像データ、領域指定された画像データを画像処理部１０３で編集し、画像蓄積部１０５に記憶させた画像データを領域指定先画像内、別画像の領域内に座標処理部１１０で配置先の座標点を操作部１０６上からの座標入力、タッチパネル押下、操作部上のキー等で指定し、画像処理部１０３で合成先画像データと配置画像データを合成処理する。図中、上方に示す表示部（タッチパネル１０９）には、合成処理前の画像が図示されている。下方に示す表示部には指定した領域（Ａ）を別画像に合成処理した図が示されている。その隣には、次に説明する実施形態に係る画像が示されている。
【００４７】
上記実施形態により、領域指定された画像、または蓄積された画像を同画像内、別画像内に配置する際、配置指定後、配置部を拡大表示し、タッチパネル押下、座標入力、操作部上のキー等によって詳細位置を決定することで、領域指定画像配置時の指定場所決定の操作性、視認性を向上させ、画像配置を指定したい領域により正確に行うことができる。
【００４８】
本発明の他の実施形態に係る合成先画像表示について説明する。操作部１０６上でタッチパネル１０９、操作部１０６より指定した画像領域を座標処理部１１０で領域を認識し、画像認識部１０８で認識された領域内の画像データ、領域指定された画像データを画像処理部１０３で編集し、画像蓄積部１０５に記憶させた画像データを領域指定先画像内、別画像の領域内に操作部１０６上より配置する際、画像データを配置することによって潰されてしまう合成先画像データの箇所を、座標処理部１１０より認識し、画像認識部１０８より画像データを認識し、操作部上に表示し、配置の際に必要な画像データを潰してしまうミスを防ぐ。
【００４９】
上記実施形態により、領域指定された画像、又は蓄積された画像を同画像内、別画像内に配置する際、配置後に潰される画像を表示することで、配置後潰されてしまう画像の必要性の有無の確認を促すとともに、合成時の視認性、操作性の向上、ユーザの設定ミス低減に効果がある。上記図８下方の表示部には、本実施形態である配置後潰されてしまう画像を表示している。
【図面の簡単な説明】
【００５０】
【図１】本発明の実施形態に係るデジタル複合複写機のシステム構成を示すブロック図である。
【図２】本発明の実施形態に係る領域指定から用紙サイズ変倍までを示した図である。
【図３】本発明の実施形態に係る２点指定トリミング方法を示す図である。
【図４】本発明の実施形態に係る自由形状トリミング方法を示す図である。
【図５】本発明の実施形態に係る画像分離編集を示す図である。
【図６】本発明の実施形態に係るトリミング領域増減指定方法を示した図である。
【図７】本発明の実施形態に係るトリミング領域拡大表示を示す図である。
【図８】本発明の実施形態に係る合成先画面を示した図である。
【符号の説明】
【００５１】
１００    画像形成装置
１０１    制御部
１０２    画像読取り部
１０３    画像処理部
１０４    画像書込み部
１０５    データ蓄積部
１０６    操作部
１０７    給紙部
１０８    画像認識部
１０９    タッチパネル
１１０    座標処理部
１１１    画像出力部
【図１】
2007019888.tif 000003
【図２】
2007019888.tif 000004
【図３】
2007019888.tif 000005
【図４】
2007019888.tif 000006
【図５】
2007019888.tif 000007
【図６】
2007019888.tif 000008
【図７】
2007019888.tif 000009
【図８】
2007019888.tif 000010